(57)【要約】  上壁と、下壁と、弾性復元機構と、上記上壁及びまたは下壁の側面に設けたマークと、壁の内側に配置した光電検知チップとを有し、上記マークが上記光電検知チップの垂直位置と一線をなすことを特徴とする。上記マークは測定される指の位置を観察するために用いる。本発明によれば証明が暗い場合や弱視者の場合でも正確で信頼性の大きい血中酸素飽和度測定データを得ることができる。【選択図】図２
2010510839.tif 000002
【特許請求の範囲】
【請求項１】
上壁と、下壁と、弾性復元機構と、上記上壁及びまたは下壁の側面に設けたマークと、壁の内側に配置した光電検知チップとを有し、上記マークが上記光電検知チップの垂直位置と一線をなすことを特徴とする指先血中酸素飽和度測定装置。
【請求項２】
上記マークが上記壁の側面に凹状または凸状に設けられていることを特徴とする請求項１記載の指先血中酸素飽和度測定装置。
【請求項３】
上記マークが蛍光マークであることを特徴とする請求項１記載の指先血中酸素飽和度測定装置。
【請求項４】
上記凹状または凸状のマークが蛍光マークであることを特徴とする請求項２記載の指先血中酸素飽和度測定装置。
【請求項５】
検出検知チップと、内部電源と、内側光電検知チップと、検出、処理、及び制御回路と、表示スクリーンを更に有することを特徴とする請求項１記載の指先血中酸素飽和度測定装置。
【発明の詳細な説明】
【技術分野】
【０００１】
本発明は指先血中酸素飽和度測定装置、特に、正しい測定が可能な指先オキシメータ（ｏｘｉｍｅｔｅｒ）に関するものである。
【０００２】
ここで用いる用語“光電セル”は、測定した指の爪の一方の側から信号を送り、爪の他方の側において信号を受け取ることができる血中酸素飽和度測定のための総べての光電検知素子を意味する。
【背景技術】
【０００３】
現在、市販されている指先用のパルスオキシメータは図１に示すものである。この装置は小型で運び易く、使用が簡単で人々にとって極めて好ましいものである。然しながら使用に際して幾つかの欠点がある。
【０００４】
例えば、測定において測定データの表示が不正確で安定しないことがある。これは測定の間、測定すべき指が指穴内に正しく位置されていないことによる。更に、人によって指の厚さと長さが異なるため、指先パルスオキシメータ内の光電検知素子に指の爪が位置しないことがあることによる。また、指先パルスオキシメータ内の光電セルの位置は指をクランプした後は外部からは見えず、指の位置が正しくないときがあり、このため上記の欠点を生ずる。
【発明の概要】
【発明が解決しようとする課題】
【０００５】
本発明の目的は外部マークを設定することによって簡単に指先の血中酸素飽和度を正確に測定できる測定装置を得るにある。
【課題を解決するための手段】
【０００６】
本発明の指先血中酸素飽和度測定装置は、上壁と、下壁と、弾性復元機構と、上記上壁及びまたは下壁の側面に設けたマークと、壁の内側に配置した光電検知チップとを有し、上記マークが上記光電検知チップの垂直位置と一線をなすことを特徴とする。
【０００７】
上記マークは上記壁の側面に凹状または凸状に設けられていることが好ましい。
【０００８】
上記マークは蛍光マークであることが好ましい。
【０００９】
上記凹状または凸状のマークは蛍光マークであることが好ましい。
【００１０】
本発明の指先血中酸素飽和度測定装置は、検出検知チップと、内部電源と、内側光電検知チップと、検出、処理、及び制御回路と、表示スクリーンを更に有することが好ましい。
【００１１】
本発明の指先血中酸素飽和度測定装置は、ケーブルやソケットを介して可搬式オキシメータに接続した血中酸素飽和度測定装置によって達成でき、上記オキシメータは、上壁と、下壁と、弾性復元機構と、上記上壁及びまたは下壁の側面に設けたマークと、壁の内側に配置した光電検知チップとを有し、上記マークが上記光電検知チップの垂直位置と一線をなすことを特徴とする。
【００１２】
上記マークは上記壁の側面に凹状または凸状に設けられていることが好ましい。
【００１３】
上記マークは蛍光マークであることが好ましい。
【００１４】
上記凹状または凸状のマークは蛍光マークであることが好ましい。
【００１５】
上記マークは測定される指の位置を観察するために用いる。
【発明の効果】
【００１６】
本発明によれば証明が暗い場合や弱視者の場合でも正確で信頼性の大きい血中酸素飽和度測定データを得ることができる。
【図面の簡単な説明】
【００１７】
【図１】図１は従来の指先パルスオキシメータの使用状態説明図である。
【図２】図２は本発明の指先血中酸素飽和度測定装置の斜視図である。
【図３】図３は本発明の指先血中酸素飽和度測定装置の背面図である。
【図４】図４は本発明の分離された指先血中酸素飽和度測定プローブの説明図である。
【発明を実施するための形態】
【００１８】
以下図面によって本発明の実施例を詳細に説明する。
【実施例１】
【００１９】
図２に示すように、本発明の指先血中酸素飽和度測定装置は上壁１と、下壁２と、弾性復元機構と、検出光電検知チップと、内部電源と、内部光電検知チップと、検出、処理及び制御のための回路と、表示スクリーンとを有する。マーク３を上壁１の側面に設ける。上記上壁１の側面上のマーク３の垂直位置を、上壁１の内側に設けた検出光電検知チップの垂直位置に一線ならしめる。マーク３を上壁１の側面上に凸状に湾曲する形で配置する。また、マーク３の位置は蛍光で表示できる。
【００２０】
検出光電検知チップとしては光電セルＡ−ＯＥ−０６またはＡ−ＯＥ−０２を用い得る。
【００２１】
本発明においては、側定時に指を上壁１と下壁２間に挿入する。上壁１と下壁２を互いに開く前は、上壁１の側面に設けたマーク３が測定される指の爪の基部を示すようにする。上壁１の側面に配置されたマーク３は上壁１が開かれたときは指の爪の基部を正しく示すようにする。このとき、指の位置が正しくない場合には上壁１の側面に設けたマーク３の位置によって指の位置を調節することができる。指の位置が正しくなったとき正確な測定が成される。
【実施例２】
【００２２】
本発明の他の実施例においては図４に示すように、血中酸素飽和度測定プローブ５を従来の可搬式心血中酸素測定器またはモニタ装置７にケーブル６またはソケットを介して結合する。上記第１の実施例と異なるところは、内部電源、検出処理及び制御回路、表示スクリーン等を血中酸素飽和度測定プローブ５内に設けず、可搬式血中酸素測定装置またはモニタ装置７内に配置することにある。
【００２３】
本発明の血中酸素飽和度測定プローブ５は上壁１と、下壁２と、弾性復元機構と、検出光電検知チップとを有する。マーク３を上壁１の側面に設ける。上壁１の側面上のマーク３の垂直位置を、上壁１の内側に設けた検出光電検知チップの垂直位置に一致せしめる。マーク３を上壁１の側面上に凸状に湾曲する形で配置する。また、マーク３の位置は蛍光で表示できる。
【実施例３】
【００２４】
本発明の他の実施例においては、マーク３を下壁２の側面に配置する。
【００２５】
マーク３は上壁１の側面と下壁２の側面の双方に設けても良い。
【００２６】
測定時には指をプローブ５内に挿入する。壁の側面に設けたマーク３は測定される指の爪の基部を示すようにし、これによって指の位置を調節し、指の位置が正しくなったとき正確な測定が成される。
【００２７】
壁の側面に設けたマーク３は凹状または凸状とする。マーク３の位置は蛍光によって表示し、照明が暗い場合や弱視者の場合でも使用できるようにする。指の位置が正しいか否かを蛍光で表示し、または、他方の手をマークに触れて正確な測定を達成できるようにする。
【００２８】
以上本発明の複数の実施例を詳細に説明したが、本発明は本発明の精神を逸脱しない範囲において種々増、減、変更できることは勿論である。
【符号の説明】
【００２９】
１  上壁
２  下壁
３  マーク
５  プローブ
６  ケーブル
７  モニタ装置
【図１】
2010510839.tif 000003
【図２】
2010510839.tif 000004
【図３】
2010510839.tif 000005
【図４】
2010510839.tif 000006
【国際調査報告】
2010510839.tif 000007
2010510839.tif 000008
2010510839.tif 000009
2010510839.tif 000010